(57)【特許請求の範囲】
【請求項１】
第１側板部を有する第１ケース本体と、
閉じたときに前記第１側板部と重なる第２側板部を有する第２ケース本体とを備えるかばんであって、
天側が広く開口する第１側板部と第２側板部との天と底との中間領域に、第１側板部と第２側板部との開口角度を規制するためのリンクが、第１側板部と第２側板部との間に架け渡され、
前記リンクは、リンクガイド孔を穿設され、該リンクガイド孔を第１ケース本体を構成する側板部に形成されたリンクガイド突起に移動自在に嵌挿され、且つ該リンクガイド突起を形成されていない第２ケース本体を構成する側板部のリンク枢軸孔に、リンクのリンク枢軸によって回動自在に連結され、
リンクは、閉じるときに、第１ケース本体を構成する側板部と第２ケース本体を構成する側板部と重なる面の間隔を拡開するための拡開部が形成され、
前記拡開部は、リンクガイド孔とリンク枢軸との間において、膨出又は突起して形成され、リンクガイド孔側が低くリンク枢軸側が高く形成され、第１ケース本体と第２ケース本体とを閉じるとき、第１ケース本体の側板部における第２ケース本体の側板部と対向する端縁を押し拡げる、かばん。
【請求項２】
第１側板部を有する第１ケース本体と、
閉じたときに前記第１側板部と重なる第２側板部を有する第２ケース本体とを備えるかばんであって、
天側が広く開口する第１側板部と第２側板部との天と底との中間領域に、第１側板部と第２側板部との開口角度を規制するためのリンクが、第１側板部と第２側板部との間に架け渡され、
前記リンク、第１側板部および第２側板部のうち少なくとも一つには、閉じるときに、第１側板部と第２側板部と重なる面の間隔を拡開するための拡開部が形成され、
前記リンクは、
底部側を中心にして第１ケース本体と第２ケース本体とを、天側を、２０〜６０度開口できる長さを備え、第１ケース本体の第１側板部と第２ケース本体の第２側板部とに連結され、
第１側板部と第２側板部を重ね合わせたとき、開口されたときに対向する第１側板部の端縁及び／又は第２側板部の端縁から閉じる方向に向けて、リンクと第１側板部及び第２側板部とを連結する突起又は膨出した部位を緩挿するための隙間部を形成された、かばん。
【請求項３】
前記拡開部は、第１側板部の重なる面又は第２側板部の重なる面のうち少なくとも一つの重なる面に向けて、膨出又は突起して形成された、請求項１又は請求項２に記載のかばん。
【請求項４】
前記拡開部は、第１側板部と第２側板部とが重なる面の間隔を広くするために、第１側板部と第２側板部とが対向する面とは反対側に向けて第１側板部又は第２側板部を折曲又はわん曲をさせて形成された、請求項１ないし請求項３のいずれかに記載のかばん。
【請求項５】
前記リンクは、
第１ケース本体と第２ケース本体とに連結される長手方向を有しており、前記リンクの長手方向にのびるリンクガイド孔を穿設され、
第１側板部及び第２側板部のいずれかに形成されたリンクガイド突起に、該リンクガイド孔を移動自在に嵌挿され、且つ該リンクガイド突起を形成されていない第１側板部及び第２側板部のいずれかにリンク枢軸によって回動自在に連結された、請求項１ないし請求項４のいずれかに記載のかばん。
【発明の詳細な説明】
【技術分野】
【０００１】
この発明は、かばんに関し、特に例えば、角型の手提げ書類かばんとして用いられるかばんに関する。
【背景技術】
【０００２】
従来、従来の角型の手提げ書類かばんとして、特開２０１０−０６９１８２（特許文献１）のような、広く開口できるアタッシュケースが提案されている。
【先行技術文献】
【特許文献】
【０００３】
【特許文献１】特開２０１０−０６９１８２号公報
【発明の概要】
【発明が解決しようとする課題】
【０００４】
ところが、かばんの中に収容された被収容物を取り出し易くするために余り広く開口すると、閉口していたかばんを開口したときに、かばんの中に収容されていた被収容物が、不意に飛び出すことがある。
それゆえに、この発明の主たる目的は、物を取り出すために最適な広さに開口させることができるとともに円滑に開口することができる、かばんを提供することである。
【課題を解決するための手段】
【０００５】
この発明にかかるかばんは、第１側板部を有する第１ケース本体と、閉じたときに前記第１側板部と重なる第２側板部を有する第２ケース本体とを備えるかばんであって、天側が広く開口する第１側板部と第２側板部との天と底との中間領域に、第１側板部と第２側板部との開口角度を規制するためのリンクが、第１側板部と第２側板部との間に架け渡され、前記リンクは、リンクガイド孔を穿設され、該リンクガイド孔を第１ケース本体を構成する側板部に形成されたリンクガイド突起に移動自在に嵌挿され、且つ該リンクガイド突起を形成されていない第２ケース本体を構成する側板部のリンク枢軸孔に、リンクのリンク枢軸によって回動自在に連結され、リンクは、閉じるときに、第１ケース本体を構成する側板部と第２ケース本体を構成する側板部と重なる面の間隔を拡開するための拡開部が形成され、前記拡開部は、リンクガイド孔とリンク枢軸との間において、膨出又は突起して形成され、リンクガイド孔側が低くリンク枢軸側が高く形成され、第１ケース本体と第２ケース本体とを閉じるとき、第１ケース本体の側板部における第２ケース本体の側板部と対向する端縁を押し拡げる、かばんである。
この発明の請求項２にかかるかばんは、第１側板部を有する第１ケース本体と、閉じたときに前記第１側板部と重なる第２側板部を有する第２ケース本体とを備えるかばんであって、天側が広く開口する第１側板部と第２側板部との天と底との中間領域に、第１側板部と第２側板部との開口角度を規制するためのリンクが、第１側板部と第２側板部との間に架け渡され、前記リンク、第１側板部および第２側板部のうち少なくとも一つには、閉じるときに、第１側板部と第２側板部と重なる面の間隔を拡開するための拡開部が形成され、前記リンクは、底部側を中心にして第１ケース本体と第２ケース本体とを、天側を、２０〜６０度開口できる長さを備え、第１ケース本体の第１側板部と第２ケース本体の第２側板部とに連結され、第１側板部と第２側板部を重ね合わせたとき、開口されたときに対向する第１側板部の端縁及び／又は第２側板部の端縁から閉じる方向に向けて、リンクと第１側板部及び第２側板部とを連結する突起又は膨出した部位を緩挿するための隙間部を形成された、かばんである。
この発明の請求項３にかかるかばんにおいては、前記拡開部は、第１側板部の重なる面又は第２側板部の重なる面のうち少なくとも一つの重なる面に向けて、膨出又は突起して形成された、請求項１又は請求項２に記載のかばんである。
この発明の請求項４にかかるかばんにおいては、前記拡開部は、第１側板部と第２側板部とが重なる面の間隔を広くするために、第１側板部と第２側板部とが対向する面とは反対側に向けて第１側板部又は第２側板部を折曲又はわん曲をさせて形成された、請求項１ないし請求項３のいずれかに記載のかばんである。
この発明の請求項５にかかるかばんにおいては、前記リンクは、第１ケース本体と第２ケース本体とに連結される長手方向を有しており、前記リンクの長手方向にのびるリンクガイド孔を穿設され、第１側板部及び第２側板部のいずれかに形成されたリンクガイド突起に、該リンクガイド孔を移動自在に嵌挿され、且つ該リンクガイド突起を形成されていない第１側板部及び第２側板部のいずれかにリンク枢軸によって回動自在に連結された、請求項１ないし請求項４のいずれかに記載のかばんである。
【発明の効果】
【０００６】
この発明によれば、物を取り出すために最適な広さに開口させることができるとともに円滑に開口することができる、かばんを得ることができる。
この発明の請求項３にかかるかばんによれば、前記拡開部は、第１側板部の重なる面又は第２側板部の重なる面のうち少なくとも一つの重なる面に向けて、膨出又は突起して形成されているので、第１側板部と第２側板部とを円滑に作動させることができる。
この発明の請求項４にかかるかばんによれば、前記拡開部は、第１側板部と第２側板部とが重なる面の間隔を広くするために、第１側板部と第２側板部とが対向する面とは反対側に向けて第１側板部又は第２側板部を折曲又はわん曲をさせて形成されているので、第１側板部と第２側板部とを円滑に作動させることができる。
この発明の請求項５にかかるかばんによれば、前記リンクは、長手方向を有しており、前記リンクの長手方向にのびるリンクガイド孔を穿設され、第１側板部及び第２側板部のいずれかに、該リンクガイド孔をリンクガイド突起によって移動自在に嵌挿され、且つ該リンクガイド突起を形成されていない第１側板部及び第２側板部のいずれかにリンク枢軸によって回動自在に固定されているので、第１ケース本体と第２ケース本体とを最適な角度に開くことができる。
この発明の請求項２にかかるかばんによれば、前記リンクは、底部側を中心にして第１ケース本体と第２ケース本体とを、天側を、２０〜６０度開口できる長さを備え、第１ケース本体の第１側板部と第２ケース本体の第２側板部とに連結され、第１側板部と第２側板部を重ね合わせたとき、開口されたときに対向する第１側板部の端縁及び／又は第２側板部の端縁から閉じる方向に向けて、リンクと第１側板部及び第２側板部とを連結する突起又は膨出した部位を緩挿するための隙間部を形成されているので、第１ケース本体と第２ケース本体を円滑に開閉することができ、第１ケース本体と第２ケース本体とを最適な角度に開くことができる。
【０００７】
この発明の上述の目的、その他の目的、特徴および利点は、図面を参照して行う以下の発明を実施するための形態の説明から一層明らかとなろう。
【図面の簡単な説明】
【０００８】
【図１】この発明のアタッシュケースの一例を示す斜視図解図である。
【図２】図１に示すアタッシュケースを開いた状態を示す斜視図解図である。
【図３】ケース構成材の展開した状態を示す平面図解図である。
【図４】ケース構成材を折り曲げて組み立てた状態の側面図解図である。
【図５】ケース構成材を折り曲げて組み立てた状態の平面図解図である。
【図６Ａ】サイドカバーの内面図解図である。
【図６Ｂ】サイドカバーの外面図解図である。
【図６Ｃ】サイドカバーの側面図解図である。
【図６Ｄ】図６ＣのＡ−Ａ断面図解図である。
【図６Ｅ】図６ＣのＢ−Ｂ断面図解図である。
【図６Ｆ】図６ＣのＣ−Ｃ断面図解図である。
【図７】図１に示すアタッシュケースの開いた状態における左側面図解図である。
【図８】図１に示すアタッシュケースの閉じた状態における左側面図解図である。
【図９】図１に示すアタッシュケースの閉じた状態における側断面図解図である。
【図１０Ａ】リンクの側面図解図である。
【図１０Ｂ】リンクの断面図解図である。
【図１１Ａ】図１に示すアタッシュケースの製作工程を示す底面図解図である。
【図１１Ｂ】図１に示すアタッシュケースの製作工程を示す断面図解図である。
【図１２Ａ】図１に示すアタッシュケースの製作工程を示す平面図解図である。
【図１２Ｂ】図１に示すアタッシュケースの製作工程を示す断面図解図である。
【図１３】かばんの部位等を説明する図解図である。
【発明を実施するための形態】
【０００９】
図１は、この発明のアタッシュケースの一例を示す斜視図解図であり、図２は、図１に示すアタッシュケースを開いた状態を示す斜視図解図である。
このアタッシュケース１０は、収納部１２を形成する、前側の第１ケース本体１４及び後側の第２ケース本体１６と、この収納部１２の閉塞状態を維持するためのロック機構１８とを備える。
【００１０】
第１ケース本体１４及び第２ケース本体１６は、全体がポリプロピレン等の合成樹脂でボックス型に成形され、全体が剛性又準剛性であり、第１ケース本体１４と第２ケース本体１６とを連設する底部２０を挟んで対向し、前と後に開閉することができるように形成されている。
【００１１】
第１ケース本体１４は、剛性または半剛性の略正面視長方形状の胴部２２と、前記底部２０と交差するように前記胴部２２の縁に連設された略側面視長方形状の右側の側部２４及び側部２４と対向する左側の側部２６と、前記底部２０と対向するように前記胴部２２の縁に連設された略平面視長方形状の天部２８とを有する。
前記右側の側部２４と左側の側部２６とは、対をなし、それぞれが対向するように、天部２８及び底部２０に連設されている。
第２ケース本体１６は、前記第１ケース本体１４の胴部２２と対向する剛性または半剛性の略背面視長方形状の胴部３２と、前記底部２０と交差するように前記胴部３２の縁に連設された略側面視長方形状の右側の側部３４及び側部３４と対向する左側の側部３６と、前記底部２０と対向するように前記胴部３２の縁に連設された略平面視長方形状の天部３８とを有する。
前記右側の側部３４と左側の側部３６とは、対をなし、それぞれが対向するように、天部３８及び底部２０に連設されている。
【００１２】
第１ケース本体１４の胴部２２は、下縁において、二重の折り曲げ線４０を介して略平面視長方形状の底部２０の前側と連設され、第２ケース本体１６の胴部３２は、下縁において、二重の折り曲げ線４０からなるヒンジ部４２を介して底部２０の後側と連設されている。
【００１３】
前記第１ケース本体１４及び／又は第２ケース本体１６は、前記二重の折り曲げ線４０，ヒンジ部４２を中心にして底部２０側から天部３８側に至る開口部４４及び開口部４６を形成されており、第２ケース本体１６をヒンジ部４２を中心にして回動させて開口することができ、且つ、第１ケース本体１４の開口部４４と第２ケース本体１６の開口部４６とをあわせて閉じると、収納部１２を閉塞することができるように構成されている。
【００１４】
前記底部２０は、一方の側部２４，３４の近傍から他方の側部２６，３６の近傍に至る長さ（胴部２２，３２と略々同じ長さ）を有し、後述する天板部１２８及び天板部１３８の幅を含めた幅を有し、且つ、後述する第１側板部１２４及び第２側板部１３４の幅を有する、平面視長方形状である。
【００１５】
第１ケース本体１４の胴部２２と第２ケース本体１６の胴部３２とは、略々同じ長さと幅とを備える。
第１ケース本体１４の右側の側部２４と第２ケース本体１６の右側の側部３４とは、略々同じ長さと幅とを備え、第１ケース本体１４の側部２４の略直線状の開口側縁２４ａと第２ケース本体１６の側部３４の略波形状の開口側縁３４ａとは第１ケース本体１４と第２ケース本体１６を開いたとき、対向し、第１ケース本体１４と第２ケース本体１６とを閉じたとき、側部２４の開口側縁２４ａは第２ケース本体１６の胴部３２に接近ないしは接し合い、側部３４の開口側縁３４ａは第１ケース本体１４の胴部２２に接近ないしは接し合う。
第１ケース本体１４の左側の側部２６と第２ケース本体１６の左側の側部３６とは、略々同じ長さと幅とを備え、第１ケース本体１４の側部２６の略直線状の開口側縁２６ａと第２ケース本体１６の側部３６の略波形状の開口側縁３６ａとは第１ケース本体１４と第２ケース本体１６を開いたとき対向し、第１ケース本体１４と第２ケース本体１６とを閉じたとき、側部２６の開口側縁２６ａは第２ケース本体１６の胴部３２に接近ないしは接し合い、側部３６の開口側縁３６ａは第１ケース本体１４の胴部２２に接近ないしは接し合う。
【００１６】
第１ケース本体１４の天部２８と第２ケース本体１６の天部３８とは、略々同じ長さと幅とを備え、第１ケース本体１４の天部２８の開口側縁２８ａと第２ケース本体１６の天部３８の開口側縁３８ａとは、対向して、第１ケース本体１４と第２ケース本体１６とを閉じたとき、接近ないしは接し合う。
この実施の形態においては、後述する第１フレーム２００の天部領域が第１ケース本体１４の天部２８に固定され、また、第２フレーム２１０の天部領域が第２ケース本体１６の天部３８に固定されている。
而して、第１ケース本体１４の第１フレーム２００の開口部４４の口縁と、第２ケース本体１６の第２フレーム２１０の開口部４６の口縁とが接し合う。
【００１７】
この発明の実施形態であるアタッシュケース１０は、第１ケース本体１４及び第２ケース本体１６を構成する、ポリプロピレン等の合成樹脂シートからなるケース構成材１００によって、略々その全体が形成される。
ケース構成材１００は、底部２０を構成する長手方向にのびる長方形状の底板部１２０と、二重の折り曲げ線４０を介して連設された手前側の長手方向にのびる長方形状の胴板部１２２と、ヒンジ部４２を介して連設された向こう側の長手方向にのびる長方形状の胴板部１３２と、右側の第１折り曲げ線１１０ａ及び左側の第１折り曲げ線１１０ｂを介して手前側の胴板部１２２に連設された右側の側部２４を構成する第１側板部１２４及び左側の側部２６を構成する第１側板部１２６と、右側の第２折り曲げ線１１２ａ及び左側の第２折り曲げ線１１２ｂを介して向こう側の胴板部１３２に連設された右側の側部３４を構成する第２側板部１３４及び左側の側部３６を構成する第２側板部１３６と、天側第１折り曲げ線１１４を介して連設された第１ケース本体１４の天部２８を構成する天板部１２８と、天側第２折り曲げ線１１６を介して連設された第２ケース本体１６の天部３８を構成する天板部１３８とを有している。
【００１８】
第１ケース本体１４を構成する手前側の胴板部１２２と第２ケース本体１６を構成する向こう側の胴板部１３２とは同一形状で、底板部１２０を挟んで対称に形成され、二重の折り曲げ線４０及びヒンジ部４２において内側に約９０度折り曲げられ、底板部１２０を挟んで対向する。
【００１９】
第１ケース本体１４を構成する右側の第１側板部１２４と第１ケース本体１４を構成する左側の第１側板部１２６とは、同一形状で、対称に形成されている。
右側の第１側板部１２４は、右側の第１折り曲げ線１１０ａを約９０度内折りして、側部２４を形成し、左側の第１側板部１２６は、左側の第１折り曲げ線１１０ｂを約９０度内折りして、側部２６を形成する。
右側の第１折り曲げ線１１０ａと左側の第１折り曲げ線１１０ｂとは平行に形成されており、右側の第１側板部１２４と左側の第１側板部１２６とは、同一間隔をおいて、手前側の胴板部１２２を挟んで対向する。
第２ケース本体１６を構成する右側の第２側板部１３４と第２ケース本体１６を構成する左側の第２側板部１３６とは、同一形状で、対称に形成されている。
第２ケース本体１６を構成する右側の第２側板部１３４は、右側の第２折り曲げ線１１２ａを約９０度内折りして、側部３４を形成し、第２ケース本体１６を構成する左側の第２側板部１３６は、左側の第２折り曲げ線１１２ｂを約９０度内折りして、側部３６を形成する。
右側の第２折り曲げ線１１２ａと左側の第２折り曲げ線１１２ｂとは平行に形成されており、右側の第２側板部１３４と左側の第２側板部１３６とは、同一間隔をおいて、向こう側の胴板部１３２を挟んで対向する。
【００２０】
第１ケース本体１４を構成する天板部１２８は、天側第１折り曲げ線１１４を約９０度内折りして、第１ケース本体１４の天部２８を形成し、第２ケース本体１６を構成する天板部１３８は、天側第２折り曲げ線１１６を約９０度内折りして、第２ケース本体１６の天部３８を形成する。
天板部１２８の右側は、第１側板部１２４の上部と連結され、天板部１２８の左側は、第１側板部１２６の上部と連結される。
天板部１３８の右側は、第２側板部１３４の上部と連結され、天板部１３８の左側は、第２側板部１３６の上部と連結される。
【００２１】
この実施の形態においては、天板部１２８は、その右端に天部連結片１４０を連設され、且つその左端に天部連結片１４２を連設されている。
天部連結片１４０は、第１側板部１２４側に向けて突設されており、嵌合孔１４０ａを穿設されている。天部連結片１４２は、第１側板部１２６側に向けて突設されており、嵌合孔１４２ａを穿設されている。
而して、天部連結片１４０の嵌合孔１４０ａは、天板部１２８を天側第１折り曲げ線１１４において内側に向けて折り曲げられ且つ第１側板部１２４を右側の第１折り曲げ線１１０ａにおいて内側に向けて折り曲げられたとき、第１側板部１２４の嵌合孔１２４ｅと合わせられる。
そして、第１フレーム２００の右端縁に垂下された連結片２０６に突設された突起部２０６ａに、天部連結片１４０の嵌合孔１４０ａと第１側板部１２４の嵌合孔１２４ｅとを重ねて嵌挿させる。更に、該嵌挿された突起部２０６ａは、天部連結片１４０及び第１側板部１２４の外側からサイドカバー１５０を重ねた状態において、サイドカバー１５０の内面に形成された嵌合凹部１５０ｃに嵌合される。天部連結片１４０は、第１側板部１２４に固定されるとともにサイドカバー１５０に固定される。
一方、天部連結片１４２の嵌合孔１４２ａは、天板部１２８を天側第１折り曲げ線１１４において内側に向けて折り曲げられ且つ第１側板部１２６を左側の第１折り曲げ線１１０ｂにおいて内側に向けて折り曲げられたとき、第１側板部１２６の嵌合孔１２６ｅと合わせられる。
そして、第１フレーム２００の左端縁に垂下された連結片２０８に突設された突起部２０８ａに、天部連結片１４２の嵌合孔１４２ａと第１側板部１２６の嵌合孔１２６ｅとを重ねて嵌挿させる。更に、該嵌挿された突起部２０８ａは、天部連結片１４２及び第１側板部１２６の外側からサイドカバー１５２を重ねた状態において、サイドカバー１５２の内面に形成された嵌合凹部１５２ｃに嵌合される。天部連結片１４２は、第１側板部１２６に固定されるとともにサイドカバー１５２に固定される。
【００２２】
この実施の形態においては、第２側板部１３４の天板部１３８側の端縁に天部連結片１４４ａを連設され、且つ第２側板部１３６の天板部１３８側の端縁に天部連結片１４４ｂを連設されている。
そして、天板部１３８が天側第２折り曲げ線１１６において内側に折り曲げられ、第２側板部１３４が右側の第２折り曲げ線１１２ａで内側に折り曲げられ、第２側板部１３６が左側の第２折り曲げ線１１２ｂで内側に折り曲げられたとき、天部連結片１４４ａは、天板部１３８の右側の表面に重ね合わされ、天部連結片１４４ｂは、天板部１３８の左側の表面に重ね合わされる。
【００２３】
底板部１２０の右側において、第１側板部１２４と第２側板部１３４との間において、底側第１折り曲げ線１１８ａを介して連設された側部連結板１４６と、底板部１２０の左側において、第１側板部１２６と第２側板部１３６との間において、底側第２折り曲げ線１１８ｂを介して連設された側部連結板１４８とを介している。
側部連結板１４６は、底側第１折り曲げ線１１８ａを約９０度内折りして、右側の第１側板部１２４と連結し、左側の側部連結板１４８は、底側第２折り曲げ線１１８ｂを約９０度内折りして、第１側板部１２６と連結する。
【００２４】
第１ケース本体１４を構成する右側の側部２４及び左側の側部２６は、正面視長方形の右側のサイドカバー１５０及び左側のサイドカバー１５２をもって、右側の側部２４及び左側の側部２６の長方形状を保型される。
そして、第１側板部１２４は、サイドカバー１５０の内側に固定されている。また、第１側板部１２６は、サイドカバー１５２の内側に固定されている。
一方、第２ケース本体１６を構成する右側の側部３４及び左側の側部３６は、右側の第２側板部１３４及び左側の第２側板部１３６を、前記右側のサイドカバー１５０及び前記左側のサイドカバー１５２の内側において、回動自在に固定される。
而して、ケース構成材１００は、右側のサイドカバー１５０及び左側のサイドカバー１５２によって、ボックス型に保型される。
【００２５】
第１ケース本体１４を構成する第１側板部１２４及び第１側板部１２６はシート状であり、また、第２ケース本体１６を構成する第２側板部１３４及び第２側板部１３６はシート状である。
右側の第１側板部１２４は、第２側板部１３４の内側に位置して第１側板部１２４と第２側板部１３４との対向する面を重なるように、サイドカバー１５０の内面に突設されたリンクガイド突起１５０ａ及び開閉突起１５０ｂに、第１側板部１２４の嵌合孔１２４ａ及び嵌合孔１２４ｂを嵌合されて固定されている。
また、左側の第１側板部１２６は、第２側板部１３６の内側に位置して第１側板部１２６と第２側板部１３６との対向する面を重なるように、サイドカバー１５２の内面に突設されたリンクガイド突起１５２ａ及び開閉突起１５２ｂに、第１側板部１２６の嵌合孔１２６ａ及び嵌合孔１２６ｂを嵌合されて固定されている。
【００２６】
第１ケース本体１４を構成する天側が広く開口する第１側板部１２４及び第２側板部１３４の天と底との中間領域において、右側の第１側板部１２４と第２側板部１３４との開口角度を、３５〜５０度の鋭角に規制するためのリンク１６０が、右側の第１側板部１２４と第２側板部１３４との間に架け渡されている。
また、第２ケース本体１６を構成する天側が広く開口する第１側板部１２６及び第２側板部１３６の天と底との中間領域において、左側の第１側板部１２６と第２側板部１３６との開口角度を、２０〜６０度の鋭角に規制するためのリンク１６０が、左側の第１側板部１２６と第２側板部１３６との間に架け渡されている。
【００２７】
右側のリンク１６０は、第２ケース本体１６を構成する右側の第２側板部１３４の外側に重ね合わせて、第１ケース本体１４を構成する第１側板部１２４と第２ケース本体１６を構成する第２側板部１３４間に連結されている。
前記右側のリンク１６０は、閉じるときに、第１ケース本体１４を構成する第１側板部１２４と第２ケース本体１６を構成する第２側板部１３４と重なる面の間隔を拡開するための拡開部１６６が形成されている。
また、左側のリンク１６０は、第２ケース本体１６を構成する左側の第２側板部１３６の外側に重ね合わせて、第１ケース本体１４を構成する第１側板部１２６と第２ケース本体１６を構成する第２側板部１３６間に連結されている。
前記左側のリンク１６０は、閉じるときに、第１ケース本体１４を構成する第１側板部１２６と第２ケース本体１６を構成する第２側板部１３６と重なる面の間隔を拡開するための拡開部１６６が形成されている。
【００２８】
前記リンク１６０は、長手方向を有しており、前記リンク１６０の長手方向にのびるリンクガイド孔１６２を穿設され、右側の第１側板部１２４に、該リンクガイド孔１６２をリンクガイド突起１５０ａによって移動自在に嵌挿されて固定され、且つ該リンクガイド突起１５０ａを形成されていない第２側板部１３４のリンク枢軸孔１３４ｂにリンク１６０のリンク枢軸１７２によって回動自在に固定されている。
前記リンク１６０は、底部側を中心にして第１ケース本体１４と第２ケース本体１６とを、天側を、３０〜５０度開口できる長さを備え、第１ケース本体１４の右側の第１側板部１２４と左側の第２ケース本体１６の第２側板部１３４とに連結されている。
【００２９】
また、前記リンク１６０は、長手方向を有する略楕円形シート状にポリプロピレンで成形されており、前記リンク１６０の長手方向にのびるリンクガイド孔１６２を穿設されている。
そして、リンク１６０は、第１ケース本体１４を構成する左側の第１側板部１２４に、該リンクガイド孔１６２をリンクガイド突起１５０ａによって移動自在に嵌挿され、且つ該リンクガイド突起１５０ａを形成されていない第２ケース本体１６を構成する第２側板部１３４のリンク枢軸孔１３４ｂに、リンク１６０のリンク枢軸１７２によって回動自在に固定されている。
そして、リンク１６０は、第１ケース本体１４を構成する左側の第１側板部１２６に、該リンクガイド孔１６２をリンクガイド突起１５２ａによって移動自在に嵌挿され、且つ該リンクガイド突起１５２ａを形成されていない第２ケース本体１６を構成する第２側板部１３６のリンク枢軸孔１３６ｂに、リンク１６０のリンク枢軸１７２によって回動自在に固定されている。
前記リンク１６０は、底部２０側を中心にして第１ケース本体１４と第２ケース本体１６とを、天側を開き、開口部４４と開口部４６とを３５〜５０度開口できる長さを備え、第１ケース本体１４の右側の第１側板部１２４と第２ケース本体１６の右側の第２側板部１３４及び第１ケース本体１４の左側の第１側板部１２６と第２ケース本体１６の左側の第２側板部１３６とに連結されている。
【００３０】
リンクガイド孔１６２は、リンクガイド突起１５０ａ及びリンクガイド突起１５２ａの軸回りとほぼ同じ幅でリンク１６０の長手方向にのびる長孔であり、リンク枢軸１７２は、リンク枢軸孔１３４ｂ及びリンク枢軸孔１３６ｂの円周とほぼ同じ外回りの円柱状である。
リンクガイド孔１６２は、第２ケース本体１６を開閉するとき、すなわちヒンジ部４２を中心にして第２側板部１３４及び第２側板部１３６を回動するとき、リンクガイド突起１５０ａ及びリンクガイド突起１５２ａに規定されながらリンク１６０を移動させるための軌跡に合わせて穿設されている。
リンク１６０は、リンクガイド孔１６２が天側に位置し、リンク枢軸１７２が底側に位置するように、連結されている。
【００３１】
リンク１６０に形成された拡開部１６６は、リンクガイド孔１６２とリンク枢軸１７２との間に形成され、内方に向けて膨らみ、リンクガイド孔１６２側が低くリンク枢軸１７２側が高く形成されている。
【００３２】
第１側板部１２４と第２側板部１３４を重ね合わせたとき、開口されたときに対向する第１側板部１２４の端縁から閉じる方向である内方に向けて、リンク１６０と第１側板部１２４及び第２側板部１３４とを連結する突起又は膨出した部位を緩挿するための隙間部１２４ｃを形成されている。
また、第１側板部１２６と第２側板部１３６を重ね合わせたとき、開口されたときに対向する第１側板部１２６の端縁から閉じる方向である内方に向けて、リンク１６０と第１側板部１２６及び第２側板部１３６とを連結する突起又は膨出した部位を緩挿するための隙間部１２６ｃを形成されている。
右側の第１側板部１２４の隙間部１２４ｃ及び左側の第１側板部１２６の隙間部１２６ｃは、第２ケース本体１６が開閉するときのリンク枢軸１７２の軌道に合わせて穿設されている。
而して、リンク１６０の拡開部１６６は、第１ケース本体１４と第２ケース本体１６とを閉じるとき、右側の第１側板部１２４における第２側板部１３４と対向する端縁を押し拡げることができる。第１ケース本体１４と第２ケース本体１６とを閉じるとき、左側の第１側板部１２６における第２側板部１３６と対向する端縁を押し拡げることができる。
【００３３】
第１側板部１２４と第２側板部１３４とが重なる面を広くするために、第２ケース本体１６を閉じるときリンク１６０の拡開部１６６が最初に当たる第１側板部１２４の端縁を第１側板部１２４と第２側板部１３４とが対向する面とは反対側に向けて第１側板部１２４を折曲又はわん曲をさせて、第２拡開部１２４ｄを形成されている。
また、第１側板部１２６と第２側板部１３６とが重なる面を広くするために、第２ケース本体１６を閉じるときリンク１６０の拡開部１６６が最初に当たる第１側板部１２６の端縁を第１側板部１２６と第２側板部１３６とが対向する面とは反対側に向けて第１側板部１２６を折曲又はわん曲をさせて、第２拡開部１２６ｄを形成されている。
この実施の形態においては、第２拡開部１２４ｄ及び第２拡開部１２６ｄは、隙間部１２４ｃ及び隙間部１２６ｃの開口縁の上部を内側に折曲させて形成されている。
【００３４】
右側の側部３４及び左側の側部３６は、その底部２０側に穿設された、右側の第２側板部１３４の開閉ガイド孔１３４ａ及び左側の第２側板部１３６の開閉ガイド孔１３６ａを、右側のサイドカバー１５０の開閉突起１５０ｂ及び左側のサイドカバー１５２の開閉突起１５２ｂに嵌挿され、第２ケース本体１６をヒンジ部４２を中心にして開閉することができるように構成されている。
【００３５】
この実施の形態においては、底部２０を挟んで、第１ケース本体１４の胴部２２が、平行な二重の折り曲げ線４０を介して底部２０に連設され、且つ第２ケース本体１６の胴部３２が、平行な二重の折り曲げ線４０からなるヒンジ部４２を介して底部２０に連設されている。
【００３６】
第１ケース本体１４を構成する第１フレーム２００は、図１１Ａ及び図１１Ｂに示すように、天板部１２８に対応して長手方向を有する平面視略長方形の板体で、その上面には把手取付部２０２を突設され、その下面には天板部１２８に取り付けるための突起部２０４ａ及び固定孔２０４ｂを備えている。
ケース構成材１００の天板部１２８は、図１１Ａ及び図１１Ｂに示すように、ハンドルベース体２２０により挟まれて、第１フレーム２００の天板部１２８に固定されている。
ハンドルベース体２２０は、長尺帯状体で、前記天板部１２８の突起部２０４ａに対応した位置に嵌合孔２２０ａを形成され、且つ天板部１２８の固定孔２０４ｂに対応した位置に嵌合孔２２０ｂを形成されている。
突起部２０４ａ及び固定孔２０４ｂは、各々左右一対形成され、それに対応して嵌合孔２２０ａ及び嵌合孔２２０ｂは、各々左右一対形成されている。
第１フレーム２００は、突起部２０４ａをケース構成材１００の天板部１２８の嵌合孔１２８ａに嵌合され且つハンドルベース体２２０の嵌合孔２２０ａに嵌合されて固定される。
更に、ハンドルベース体２２０は、嵌合孔２２０ｂを第１フレーム２００の固定孔２０４ｂに合わせ、ネジ２２２をもって固定される。
把手取付部２０２は、把手取付部２０２の長孔に把手２４０が移動自在に固定される。
【００３７】
第２ケース本体１６を構成する第２フレーム２１０は、天板部１３８に対応して長手方向を有する平面視略方形の板体で、その下面には天板部１３８に取り付けるための突起部又は嵌合穴を備え、ホック２１６ａ及びロングホック２１６ｂ等の固定具で固定される。
【００３８】
この実施の形態においては、第２フレーム２１０は、天板部１３８を固定するための円形の固定孔２１２ａ及び方形の固定孔２１２ｂを穿設されている。固定孔２１２ａは、左右一対形成されている。
そして、天板部１３８は、第２フレーム２１０に重ね合わされ、固定孔１３８ａと固定孔２１２ａとを合わせ且つ固定孔１３８ｂと固定孔２１２ｂとを合わせる。
第２フレーム２１０は、ホック２１６ａを固定孔２１２ａと固定孔１３８ａとに跨って固定され且つロングホック２１６ｂを固定孔２１２ｂと固定孔１３８ｂとに跨って固定されて、ケース構成材１００の天板部１３８に固定される。
【００３９】
ロック機構１８は、第２ケース本体１６に設けた第２フレーム２１０の係合部２１４と、係合部２１４に対して係合状態になる係合位置Ｐと前記係合部２１４に対して非係合状態となる退避位置Ｑとの間で、左右にスライド移動可能に設けられた移動部材２３０とにより構成されている。特に、本実施の形態においては、把手２４０の左右側部に、左右一対のロック機構１８を設けられている。
【産業上の利用可能性】
【００４０】
この発明にかかるかばんは、狭い意味のアタッシュケースのみならず、事務用鞄、ケース等、広く利用できる。
【符号の説明】
【００４１】
１０  アタッシュケース
１２  収納部
１４  第１ケース本体
１６  第２ケース本体
１８  ロック機構
２０  底部
２２，３２  胴部
２４，２６，３４，３６  側部
２４ａ，２６ａ，３４ａ，３６ａ  開口側縁
２８，３８  天部
４０  二重の折り曲げ線
４２  ヒンジ部
４４，４６  開口部
１００  ケース構成材
１１０ａ  右側の第１折り曲げ線
１１０ｂ  左側の第１折り曲げ線
１１２ａ  右側の第２折り曲げ線
１１２ｂ  左側の第２折り曲げ線
１１４  天側第１折り曲げ線
１１６  天側第２折り曲げ線
１１８ａ  底側第１折り曲げ線
１１８ｂ  底側第２折り曲げ線
１２０  底板部
１２２  手前側の胴板部
１２４，１２６  第１側板部
１２４ａ，１２４ｂ，１２６ａ，１２６ｂ，１２８ａ  嵌合孔
１２４ｃ，１２６ｃ  隙間部
１２４ｄ，１２６ｄ  第２拡開部
１２４ｅ，１２６ｅ  嵌合孔
１２８，１３８  天板部
１３２  向こう側の胴板部
１３４，１３６  第２側板部
１３４ａ，１３６ａ  開閉ガイド孔
１３４ｂ，１３６ｂ  リンク枢軸孔
１３８ａ，１３８ｂ  固定孔
１４０，１４２，１４４ａ，１４４ｂ  天部連結片
１４０ａ，１４２ａ  嵌合孔
１４６，１４８  側部連結板
１５０，１５２  サイドカバー
１５０ａ，１５２ａ  リンクガイド突起
１５０ｂ，１５２ｂ  開閉突起
１５０ｃ，１５２ｃ  嵌合凹部
１６０  リンク
１６２  リンクガイド孔
１６６  拡開部
１７２  リンク枢軸
２００  第１フレーム
２０２  把手取付部
２０４ａ  突起部
２０４ｂ  固定孔
２０６，２０８  連結片
２０６ａ，２０８ａ  突起部
２１０  第２フレーム
２１２ａ，２１２ｂ  固定孔
２１４  係合部
２１６ａ  ホック
２１６ｂ  ロングホック
２２０  ハンドルベース体
２２０ａ，２２０ｂ  嵌合孔
２２２  ネジ
２３０  移動部材
２４０  把手
Ｐ  係合位置
Ｑ  退避位置
【図１】
0005281622.tif 000002
【図２】
0005281622.tif 000003
【図３】
0005281622.tif 000004
【図４】
0005281622.tif 000005
【図５】
0005281622.tif 000006
【図６Ａ】
0005281622.tif 000007
【図６Ｂ】
0005281622.tif 000008
【図６Ｃ】
0005281622.tif 000009
【図６Ｄ】
0005281622.tif 000010
【図６Ｅ】
0005281622.tif 000011
【図６Ｆ】
0005281622.tif 000012
【図７】
0005281622.tif 000013
【図８】
0005281622.tif 000014
【図９】
0005281622.tif 000015
【図１０Ａ】
0005281622.tif 000016
【図１０Ｂ】
0005281622.tif 000017
【図１１Ａ】
0005281622.tif 000018
【図１１Ｂ】
0005281622.tif 000019
【図１２Ａ】
0005281622.tif 000020
【図１２Ｂ】
0005281622.tif 000021
【図１３】
0005281622.tif 000022